【事件の表示】
　特許第３１７５３６２号「液晶表示装置」の請求項１に係る特許に対する特許異議の申立てについて、次のとおり決定する。
【結　論】
　訂正を認める。
　特許第３１７５３６２号の請求項１に係る特許を維持する。
【理　由】
１．手続の経緯  
　特許第３１７５３６２号の請求項１に係る発明についての出願は、平成４年１２月１７日に特許出願されたものであって、平成１３年４月６日にその特許の設定の登録がなされ、その後、佐藤光男により特許異議の申立てがなされ、取消理由通知がなされ、その指定期間内の平成１４年４月１９日付けで訂正請求がなされ、再度、取消理由通知がなされ、その指定期間内の平成１４年５月２３日付けで訂正請求がなされるとともに、平成１４年４月１９日付けの訂正請求が取り下げられたものである。
　
２．訂正の適否について
２−１．訂正の内容
　ａ．特許請求の範囲の請求項１中の、
「液晶が狭持されてなり、」を「液晶が挟持されてなり、」と訂正し（以下、「第１点の訂正」という。）、「前記絶縁膜は、前記画素電極を配置した画素エリアから前記一方の基板上の前記シール部に対向する領域にかけて、しかもシール部を横切る配線を覆うように配置されてなり、前記一方の基板の前記シール部の外側には前記トランジスタを駆動する駆動回路が前記トランジスタと同時に形成されてなり、前記駆動回路上には前記絶縁膜が配置されているとともに前記画素電極が取り除かれてなる」を
「前記一方の基板の前記シール部の外側には前記トランジスタを駆動する駆動回路が前記トランジスタと同時に形成されてなり、前記駆動回路上には前記絶縁膜が配置されているとともに前記画素電極が取り除かれてなり、前記絶縁膜は、前記画素電極を配置した画素エリアから前記一方の基板上の前記シール部に対向する領域を越えて前記駆動回路上にかけて配置され、かつ、シール部を横切って前記駆動回路に接続されるまでの配線を表面が平滑となるように埋め込むことができるように厚く形成されてなる」と訂正する（以下、「第２点の訂正」という。）。
　ｂ．明細書の段落【００１１】中の、
「液晶が狭持されてなり、」を「液晶が挟持されてなり、」と訂正し、「前記絶縁膜は、前記画素電極を配置した画素エリアから前記一方の基板上の前記シール部に対向する領域にかけて、しかもシール部を横切る配線を覆うように配置されてなり、前記一方の基板の前記シール部の外側には前記トランジスタを駆動する駆動回路が前記トランジスタと同時に形成されてなり、前記駆動回路上には前記絶縁膜が配置されているとともに前記画素電極が取り除かれてなる」を
「前記一方の基板の前記シール部の外側には前記トランジスタを駆動する駆動回路が前記トランジスタと同時に形成されてなり、前記駆動回路上には前記絶縁膜が配置されているとともに前記画素電極が取り除かれてなり、前記絶縁膜は、前記画素電極を配置した画素エリアから前記一方の基板上の前記シール部に対向する領域を越えて前記駆動回路上にかけて配置され、かつ、シール部を横切って前記駆動回路に接続されるまでの配線を表面が平滑となるように埋め込むことができるように厚く形成されてなる」と訂正する。
　
２−２．訂正の目的の適否、新規事項の有無及び拡張・変更の存否
　訂正事項ａの第１点の訂正は、請求項１中の、「液晶が狭持されてなり、」を「液晶が挟持されてなり、」と訂正するものであり、明らかな誤記の訂正を目的とするものであり、願書に最初に添付した明細書又は図面に記載された事項の範囲内のものであり、実質上特許請求の範囲を拡張し、又は変更するものではない。
　また、訂正事項ａの第２点の訂正は、絶縁膜が配置される領域と、絶縁膜の厚さについて限定を加えたもので、願書に添付した図３（ｂ）及び段落【００１７】の「前記有機膜は応力が少なく酸化シリコンより厚く塗布してもクラックが入る等の問題もないので、ソース配線を充分埋め込むことができるため酸化シリコンよりも表面が平滑となる。」に記載された事項の範囲内のものであり、実質上特許請求の範囲を拡張し、又は変更するものではない。
　訂正事項ｂは、上記訂正事項ａによる特許請求の範囲の訂正に伴いそれとの整合を図るため、発明の詳細な説明の［課題を解決するための手段］の項の記載を訂正するもので、明瞭でない記載の釈明に該当する。そして、これらは、願書に添付した明細書に記載された事項の範囲内のものであり、実質上特許請求の範囲を拡張し、又は変更するものではない。
　
２−３．訂正の適否に対するむすび
　以上のとおり、本件訂正は、特許法等の一部を改正する法律（平成６年法律第１１６号）附則第６条第１項の規定によりなお従前の例によるとされる、特許法第１２０条の４第２項及び第３項で準用する同法第１２６条第１項ただし書き及び第２項の規定に適合するので、当該訂正を認める。
　
３．特許異議申立について
３−１．特許異議申立の理由の概要
　特許異議申立人は、本件特許は、概ね以下の理由により、取り消すべきである旨主張している。
（１）本件の請求項１に係る発明は、甲第１号証及び甲第２号証に記載された発明に基づいて当業者が容易に発明することができたものであるから、特許法第２９条第２項の規定により特許を受けることができない。
（２）本願は、明細書の記載に不備があり、特許法第３６条第４項または第６項第２号の規定に該当する。
　
３−２．特許法第２９条違反について
（１）本件発明
　本件の請求項１に係る発明（以下「本件発明」という。）は、訂正明細書の特許請求の範囲の請求項１に記載された事項により特定される次のとおりのものである。
「【請求項１】一対の基板間のシール部の内側に液晶が挟持されてなリ、
　前記一対の基板の一方の基板の前記シール部の内側にはトランジスタと、前記トランジスタ上に絶縁膜を介して配置された画素電極とを有し、前記一方の基板の前記シール部の外側には前記トランジスタを駆動する駆動回路が前記トランジスタと同時に形成されてなり、前記駆動回路上には前記絶縁膜が配置されているとともに前記画素電極が取り除かれてなり、
　前記絶縁膜は、前記画素電極を配置した画素エリアから前記一方の基板上の前記シール部に対向する領域を越えて前記駆動回路上にかけて配置され、かつ、シール部を横切って前記駆動回路に接続されるまでの配線を表面が平滑となるように埋め込むことができるように厚く形成されてなることを特徴とする液晶表示装置。」
　
（２）甲各号証記載の発明
　特許異議申立人が提出した、この出願前公知の刊行物である甲第１号証；特開昭６２−２５２９６４号公報には、
「第２図は、透明絶縁基板上にマトリクス状に配置された薄膜トランジスターと周辺駆動回路から構成された液晶表示用ドライバー内蔵アクティブマトリックス基板の模式図である。１・・・は、タイミング線となるゲート線、２・・・は、データ線となるソース線であり、３の薄膜トランジスターと４の画素電極は、ゲート線、ソース線の交点に配置されている。５は、タイミング線駆動回路、６はデータ線駆動回路であり、・・・第３図は、・・・従来の液晶表示用ドライバー内蔵アクティブマトリックス基板の外周近傍の平面図（ａ）と断面図（ｂ）である。透明基板７上に・・・多結晶シリコン薄膜８を堆積させる。次に、・・・ゲート絶縁膜９を形成し、その上に・・・ゲート電極１０及びゲート線１を駆動回路内を含めて同時形成する。次に、・・・薄膜トランジスターのソース・ドレイン領域を形成する。次に、層間絶縁膜１１をＣＶＤ法により積層し、コンタクトホールを開口した後、透明導電膜を被着して画素電極４を形成し金属を被着して、ソース線２及び、周辺のタイミング線駆動回路５とデータ線駆動回路６内の配線とする。」（２頁左上欄７行〜右上欄１６行）と記載されている。
　また、第３図（ａ）、（ｂ）には、薄膜トランジスタの上に層間絶縁膜１１が形成され、その層間絶縁膜１１が駆動回路側にわたって形成され、コンタクトホール１２を介して層間絶縁膜１１上に配線が迂回され、再びコンタクトホール１２を介してタイミング線駆動回路５に接続され、駆動回路上には画素電極は形成されていないものが図示されている。
　上記によれば、甲第１号証には、
「透明絶縁基板上にマトリクス状に配置された薄膜トランジスターと周辺駆動回路から構成された液晶表示用ドライバー内蔵アクティブマトリックス基板において、ゲート絶縁膜の上にゲート電極及びゲート線を駆動回路内を含めて同時形成し、薄膜トランジスタの上に層間絶縁膜が形成された後、透明導電膜を被着して画素電極を形成し、前記層間絶縁膜が駆動回路側にわたって形成され、コンタクトホールを介して層間絶縁膜上に配線が迂回され、再びコンタクトホールを介してタイミング線駆動回路に接続され、前記駆動回路上には画素電極は形成されていない液晶表示用ドライバー内蔵アクティブマトリックス基板」の発明が記載されている。
　　
　同じく、甲第２号証；特開昭６４−６８７２５号公報には、ドライバー内蔵型液晶表示装置に関し、
「本実施例を第１図ａ、ｂに基づいて説明する。第１図ａは、液晶表示装置の要部断面図、第１図ｂは、第１図ａのＡ−Ａ’断面図である。透明基板１上にデータ線２とタイミング線３を形成し、該データ線とタイミング線の交差点に薄膜トランジスタ４と薄膜トランジスタでスイッチする画素電極５をマトリックス状に形成し、同時にデータ線駆動回路６とタイミング線駆動回路７を周辺に形成する。そしてポリイミドを全面にスピンコートにて、塗布した後にパターニングして駆動回路の保護膜１２を形成する。・・・次に、透明基板８上に共通電極９を全面に形成し、該共通電極上に薄膜トランジスタの遮光層１０をマトリックス状に形成する。そして、シール材１１を介して上記一対の透明基板を封着し、液晶１４を封入した後、シリコン樹脂・・・１３でモールドしてドライバー内蔵型液晶表示装置を得た。」（２頁右上欄１６行〜左下欄１８行）と記載されている。また、第１図には、駆動回路及びその上部を覆う保護膜１２が、シール材１１の外側に配置されているものが図示されている。
　
（３）対比・判断
　本件発明と甲第１号証記載の発明（以下、「引用発明」という。）とを比較すると、引用発明の「透明絶縁基板」、「薄膜トランジスター」、「層間絶縁膜」は、本件発明の「一方の基板」、「トランジスタ」、「絶縁膜」に各々相当し、引用発明の「液晶表示用ドライバー内蔵アクティブマトリックス基板」が液晶表示装置に用いられること、また、液晶表示装置は一対の基板間のシール部の内側に液晶が挟持されてなること、は自明の事項である。　したがって、両者は、
「一対の基板間のシール部の内側に液晶が挟持されてなリ、
　前記一対の基板の一方の基板の前記シール部の内側にはトランジスタと、前記トランジスタ上に絶縁膜を介して配置された画素電極とを有し、前記一方の基板には前記トランジスタを駆動する駆動回路が前記トランジスタと同時に形成されてなり、前記駆動回路上には前記絶縁膜が配置されているとともに前記画素電極が取り除かれてなり、
　前記絶縁膜は、前記画素電極を配置した画素エリアから前記一方の基板上の前記シール部に対向する領域を越えて前記駆動回路上にかけて配置されてなる液晶表示装置。」
で一致し、下記の点で相違する。
　相違点１；本件発明は、一方の基板のシール部の外側にトランジスタを駆動する駆動回路が形成されているのに対し、引用発明は、駆動回路がシール部の内側にあるか外側にあるか不明である点、
　相違点２；本件発明の絶縁膜は、シール部を横切って駆動回路に接続されるまでの配線を表面が平滑となるように埋め込むことができるように厚く形成されてなるのに対し、引用発明には、このような構成が備わっていない点。
　
　そこで、上記相違点に付き検討する。
（１）相違点１について
　甲第２号証には、駆動回路をシール部の外側に形成することが記載されているから、引用発明の駆動回路をシール部の外側に形成することは、当業者が容易に想到し得るものである。
（２）相違点２について
　本件発明の課題は、ドライバー回路がシールエリアより外部に配置されているため、シールエリアを横切る配線の数が多く、しかも段差がきつく液晶を劣化させる水分等の流入のおそれがあったのを解決しようとするものである。（本件特許明細書【００１０】参照。）
　しかるに、甲第１号証及び甲第２号証には、このような課題については記載も示唆もなく、しかも、甲第２号証には本件発明の相違点２の構成が備わっていない。
　そして、本件発明は、上記相違点２の構成を有することにより、シールエリア下部の凹凸が少なく封入された液晶への水分等の流入が減り、長期に渡って液晶の劣化が少なく信頼性の高い液晶表示装置を提供することができるという、明細書の【００１８】に記載された格別の効果を奏するものである。
　したがって、本件発明は、甲第１号証及び甲第２号証に記載された発明に基づいて当業者が容易に発明をすることができたものとはいえない。　
　
３−３．特許法第３６条違反について
　異議申立人は、「（本願発明は）表示エリア内の画素電極をトランジスタ上に絶縁膜を介して配置することとシールエリア下部の凹凸が少なくなることとが関連性を有しない限り、本願の発明の効果が得られることにはならない筈である。しかしながら、表示エリア内の画素電極の配置と、シールエリア下部の凹凸の大小に関する関連性は、本願の発明の詳細な説明には一切記載されていない。」と主張している。
　しかし、本件発明は、訂正請求により、「絶縁膜は、シール部を横切って駆動回路に接続されるまでの配線を表面が平滑となるように埋め込むことができるように厚く形成されてなる」点が限定されたので、シールエリアを横切る配線の表面が絶縁膜によって平滑となることが明らかになり、特許を受けようとする発明が明確になった。そして、この点は、明細書の発明の詳細な説明の段落【００１７】及び図３（ｂ）に記載されており、また、訂正された本件発明が明細書記載の効果を奏することは明らかである。
　したがって、本願が特許法第３６条第４項または第６項の規定に違反するという異議申立人の主張は採用できない。
　
４．むすび
　以上のとおり、特許異議申立の理由及び証拠によっては、本件発明の特許を取り消すことはできない。
　又、他に本件特許を取り消すべき理由を発見しない。 
　よって、結論のとおり決定する。
【異議決定日】
平成１４年５月２７日（２００２．５．２７）
【訂正の要旨】
訂正の要旨
　ａ．特許請求の範囲の請求項１中の、
「液晶が狭持されてなリ、」を「液晶が挟持されてなり、」と訂正し、
「前記絶縁膜は、前記画素電極を配置した画素エリアから前記一方の基板上の前記シール部に対向する領域にかけて、しかもシール部を横切る配線を覆うように配置されてなり、前記一方の基板の前記シール部の外側には前記トランジスタを駆動する駆動回路が前記トランジスタと同時に形成されてなり、前記駆動回路上には前記絶縁膜が配置されているとともに前記画素電極が取り除かれてなる」を「前記一方の基板の前記シール部の外側には前記トランジスタを駆動する駆動回路が前記トランジスタと同時に形成されてなり、前記駆動回路上には前記絶縁膜が配置されているとともに前記画素電極が取り除かれてなり、前記絶縁膜は、前記画素電極を配置した画素エリアから前記一方の基板上の前記シール部に対向する領域を越えて前記駆動回路上にかけて配置され、かつ、シール部を横切って前記駆動回路に接続されるまでの配線を表面が平滑となるように埋め込むことができるように厚く形成されてなる」と訂正する。
　ｂ．明細書の段落【００１１】中の、
「液晶が狭持されてなリ、」を「液晶が挟持されてなり、」と訂正し、
「前記絶縁膜は、前記画素電極を配置した画素エリアから前記一方の基板上の前記シール部に対向する領域にかけて、しかもシール部を横切る配線を覆うように配置されてなり、前記一方の基板の前記シール部の外側には前記トランジスタを駆動する駆動回路が前記トランジスタと同時に形成されてなり、前記駆動回路上には前記絶縁膜が配置されているとともに前記画素電極が取り除かれてなる」を「前記一方の基板の前記シール部の外側には前記トランジスタを駆動する駆動回路が前記トランジスタと同時に形成されてなり、前記駆動回路上には前記絶縁膜が配置されているとともに前記画素電極が取り除かれてなり、前記絶縁膜は、前記画素電極を配置した画素エリアから前記一方の基板上の前記シール部に対向する領域を越えて前記駆動回路上にかけて配置され、かつ、シール部を横切って前記駆動回路に接続されるまでの配線を表面が平滑となるように埋め込むことができるように厚く形成されてなる」と訂正する。
（５４）【発明の名称】
液晶表示装置
（５７）【特許請求の範囲】
　【請求項１】　一対の基板間のシール部の内側に液晶が挟持されてなり、
　前記一対の基板の一方の基板の前記シール部の内側にはトランジスタと、前記トランジスタ上に絶縁膜を介して配置された画素電極とを有し、前記一方の基板の前記シール部の外側には前記トランジスタを駆動する駆動回路が前記トランジスタと同時に形成されてなり、前記駆動回路上には前記絶縁膜が配置されているとともに前記画素電極が取り除かれてなり、
　前記絶縁膜は、前記画素電極を配置した画素エリアから前記一方の基板上の前記シール部に対向する領域を越えて前記駆動回路上にかけて配置され、かつ、シール部を横切って前記駆動回路に接続されるまでの配線を表面が平滑となるように埋め込むことができるように厚く形成されてなることを特徴とする液晶表示装置。
【発明の詳細な説明】
　【０００１】
　【産業上の利用分野】
　本発明は、アクティブマトリックス型液晶表示装置に関する。
　【０００２】
　【従来の技術】
　従来の液晶表示装置の一例を図１を用いて説明する。
　【０００３】
　この図は液晶表示装置の外観図である。
　【０００４】
　ガラス、石英等の基板１０１上に画素エリア１０５を図１（ａ）のように配置し、この画素部の周辺に薄膜トランジスタの集積回路からなるドライバー回路１０３、１０４を配置している。対向基板１０２は、画素エリア１０５とドライバー回路１０３、１０４の間にその縁が位置するように、紫外線硬化樹脂等のシール材１０６により基板１０１に固定されている。また対向基板の透明電極の電位は導電性接着剤によって基板側のパッド１０７を通してコモン電位に固定されている。
　【０００５】
　これは素子基板１０１と対向基板１０２の間に封入されている液晶に水分等が流入するのをできるだけ避けるためであり、更にドライバー回路、或いはその周辺には電源と同じ電位持つ配線があるのでそれによって液晶に電界をかけないためである。
　【０００６】
　この図１のＡ−Ａ’の部分での構造断面図を図１（ｂ）に示した。基板１０１上に多結晶シリコン等による薄膜トランジスタ１１３が形成されている。薄膜トランジスタ、ソース配線、画素電極１１４は第２層間絶縁膜１２０に覆われてはいるが、画素電極１１４の上部は開孔されている。このトランジスタのゲート電極は最終的に終端部１１６でコンタクトホールを介して配線１１７に接続しており、配線１１７は対向基板端部より外側に形成されたトランジスタの集積回路からなるドライバー回路１０３と接続している。
　【０００７】
　対向基板１０２には透明電極１１１が全面に形成されており、紫外線硬化樹脂等のシール材１０６により基板に固定されている。基板１０１、対向基板１０２をポリイミド等の配向膜１１２で覆っている。
　【０００８】
　また図１のＢ−Ｂ’の部分での構造断面図を図１（ｃ）に示した。基板１０１上の第１層間絶縁膜１１９の上層に配線３０６が形成されており、これらは更に酸化シリコン等の第２層間絶縁膜１２０で覆われているが、パッド１０７、画素電極１１４上部は開孔してある。この上にポリイミド等の配向膜１１２を塗布してある。このパッド１０７はコモン電位になるように配線されているので、この部分に導電性接着剤１１８を塗布し、対向基板１０２を圧着すると対向基板の対向電極１１１はこれによりコモン電位となる。
　【０００９】
　また図２は（ａ）は上述の液晶表示装置の斜視図であるが、このようにシールエリアを横切る配線の数は画素数の２倍から４倍程度と非常に多い。図２の（ｂ）は、このシールを横切るソース配線の断面図である。第１層間絶縁膜上に形成されるソース配線は８０００Å程度のアルミニウムであり、１μｍ以下の酸化シリコンによって覆われている。
　【００１０】
　【発明が解決しようとする課題】
　しかしながら従来の技術では、ドライバー回路がシールエリアより外部に配置されているため、シールエリアを横切る配線の数が画素数の２倍以上と多く、しかも段差がきつく液晶を劣化させる水分等の流入の可能性があった。
　【００１１】
　【課題を解決するための手段】
　本発明は、一対の基板間のシール部の内側に液晶が挟持されてなり、前記一対の基板の一方の基板の前記シール部の内側にはトランジスタと、前記トランジスタ上に絶縁膜を介して配置された画素電極とを有し、前記一方の基板の前記シール部の外側には前記トランジスタを駆動する駆動回路が前記トランジスタと同時に形成されてなり、前記駆動回路上には前記絶縁膜が配置されているとともに前記画素電極が取り除かれてなり、前記絶縁膜は、前記画素電極を配置した画素エリアから前記一方の基板上の前記シール部に対向する領域を越えて前記駆動回路上にかけて配置され、かつ、シール部を横切って前記駆動回路に接続されるまでの配線を表面が平滑となるように埋め込むことができるように厚く形成されてなることを特徴とする。
　【００１２】
　【実施例】
　以下実施例に基づいて本発明を詳しく説明する。
　【００１３】
　図３の（ａ）は本発明による液晶表示装置の一例の正面外観図である。素子基板３０１上に対向基板３０２が紫外線硬化樹脂等のシール材３０３によって固定され、液晶が封入されている。ドライバー回路３０４はシールエリアより外側に配置されている。四隅の電極３０５は対向基板の対向電極に電位を与えるための導通をとるためのもので、その電位は導電性接着剤等を用いて素子基板の外部接続端子３０６から与えられるある電位に固定される。
　【００１４】
　図３の（ｂ）は画素エリアからシールエリアにかけての構造断面図である。基板３０１上に画素駆動用薄膜トランジスタ３１３が形成されている。シールエリアの外側にはトランジスタの集積回路からなるドライバー回路３０４が配置されており、これら素子基板の画素エリアよりシールエリア下部までをポリイミド等の透明有機絶縁膜３１９によって覆っている。この透明有機絶縁膜の上にＩＴＯ３１４等の画素電極が形成されており、画素トランジスタのドレイン電極とコンタクトホール３１５を介して接続されている。
　【００１５】
　図３の（ｃ）は画素エリアからシールエリアにかけての構造断面図である。
　【００１６】
　対向基板３０２の電位は、導電性接着剤３２０を通して透明有機絶縁膜上のＩＴＯ等の電極３０５に接続され、更にこの電極はその下部にあるコモン電位を持つ配線３１８に接続され、コモン電位に固定されている。
　【００１７】
　また図３にこの液晶表示装置において、シールを横切る配線の断面図を示した。前記有機膜は応力が少なく酸化シリコンより厚く塗布してもクラックが入る等の問題もないので、ソース配線を充分に埋め込むことができるため酸化シリコンよりも表面が平滑となる。
　【００１８】
　【発明の効果】
　本発明の液晶表示装置の構造をとることにより、シールエリア下部の凹凸が少なく封入された液晶への水分等の流入が減り、長期に渡って液晶の劣化が少なく信頼性の高い液晶表示装置を提供することができる。
【図面の簡単な説明】
　【図１】　従来の技術による液晶表示装置の構造を示す外観図。
　【図２】　従来の技術による液晶表示装置の構造を示す斜視図。
　【図３】　本発明による液晶表示装置の構造を示す断面図。
　【符号の説明】
１０１、２０１、３０１・・・素子基板
１０２、２０２、３０２・・・対向基板
１１３、２０７、３１３・・・画素駆動トランジスタ
１１６、３１６、・・・画素駆動トランジスタのゲート電極、及びゲート配線
１０６、２０５、３０３・・・シールエリア
１０３、１０４、２０３、２０４、３０４・・・ドライバー回路
１１７、３１７・・・配線
１０５・・・画素エリア
１１４、３１４・・・画素電極
１１１、３１１・・・対向電極
３１８・・・コモン電位を持つ配線
１０７、３０５・・・コモン電位を持つパッド
１１０、３１０・・・ブラックマトリックス
１１５、３１５・・・画素電極とのコンタクトホール
１１８、３２０・・・導電性接着剤
３１９・・・透明有機絶縁膜
１１２、３１２・・・配向膜
１１９・・・第１層間絶縁膜
１２０・・・第２層間絶縁膜
１０８、２０６、３０６・・・外部接続端子